(57)【要約】      （修正有）【課題】注水口や注水口が取り付けられている箇所の周囲を洗浄しやすくした飲料用容器の栓体を提供する。【解決手段】飲料が収容される容器本体の上部に着脱自在に装着される飲料用容器の栓体であって、筒状の注水口２１と、この注水口２１を取り付け支持する栓体本体部２０と、注水口２１の上部を開閉する注水口蓋２３と、この注水口蓋２３を開閉操作する操作部材２４と、注水口２１への飲料の通路を開閉するための弁体２５と、操作部材２４の開閉操作に連動して弁体２５を開閉させる弁体開閉機構とを備え、注水口２１を栓体本体部２０に対して着脱自在に取り付け支持していることを特徴とする。【選択図】図２
0003171259.tif 000002
【実用新案登録請求の範囲】
【請求項１】
飲料が収容される容器本体の上部に着脱自在に装着される飲料用容器の栓体であって、
筒状の注水口と、
この注水口を取り付け支持する栓体本体部と、
前記注水口の上部を開閉する注水口蓋と、
この注水口蓋を開閉操作する操作部材と、
前記注水口への飲料の通路を開閉するための弁体と、
前記操作部材の開閉操作に連動して前記弁体を開閉させる弁体開閉機構と、を備え、
前記注水口を前記栓体本体部に対して着脱自在に取り付け支持していることを特徴とする飲料用容器の栓体。
【請求項２】
前記操作部材は、前記注水口蓋を閉じる閉鎖位置と、前記注水口を開く開放位置の間を第１回転軸周りに回転移動可能であり、前記閉鎖位置及び開放位置において前記操作部材を安定した姿勢に保持するための第１付勢手段が設けられていることを特徴とする請求項１に記載の飲料用容器の栓体。
【請求項３】
前記第１付勢手段は、前記弁体を閉じ方向に作用するバネであることを特徴とする請求項２に記載の飲料用容器の栓体。
【請求項４】
前記注水口蓋を単独で回転操作するための第２回転軸及び前記注水口蓋を閉じ方向へ付勢する第２付勢手段が前記操作部材に対して設けられていることを特徴とする請求項１〜３のいずれか１項に記載の飲料用容器の栓体。
【請求項５】
前記第２回転軸は、前記第１回転軸よりも上方に位置していることを特徴とする請求項２又は３を引用する請求項４に記載の飲料用容器の栓体。
【請求項６】
前記操作部材を閉じ方向に付勢する第３付勢手段を更に備えていることを特徴とする請求項１〜５のいずれか１項に記載の飲料用容器の栓体。
【請求項７】
前記注水口は、上方に行くほど大径のラッパ状に形成され、パッキンを取り付けるための溝部と、前記注水口を前記栓体本体部に取り付けるときの上下方向の位置決めをするための位置決め段差部が一体形成されていることを特徴とする請求項１〜６のいずれか１項に記載の飲料用容器の栓体。
【請求項８】
請求項１〜７のいずれか１項に記載の栓体を有する飲料用容器。
【考案の詳細な説明】
【技術分野】
【０００１】
本考案は、飲料が収容される容器本体の上部に着脱自在に装着される飲料用容器の栓体及びこれを有する飲料用容器に関するものである。
【背景技術】
【０００２】
飲料用容器の容器本体の上部に着脱自在に取り付けられる栓体として、例えば、下記特許文献に開示される栓体が知られている。この栓体は、容器本体の口部外側に着脱自在に装着されるものであり、内側に注水口を有している。
【先行技術文献】
【特許文献】
【０００３】
【特許文献１】特開２００９−１５４９５６号公報
【考案の概要】
【考案が解決しようとする課題】
【０００４】
上記のような飲料用容器の場合、注水口は汚れやすいので使用後は洗浄するなどの手入れが必要である。しかし、上記先行技術における注水口は、栓体に固定した状態で取り付けられており、十分な洗浄を行うことができなかった。
【０００５】
本考案は上記実情に鑑みてなされたものであり、その課題は、注水口や注水口が取り付けられている箇所の周囲を洗浄しやすくした飲料用容器の栓体及びこれを有する飲料用容器を提供することである。
【課題を解決するための手段】
【０００６】
上記課題を解決するため本考案に係る飲料用容器の栓体は、飲料が収容される容器本体の上部に着脱自在に装着される飲料用容器の栓体であって、
筒状の注水口と、
この注水口を取り付け支持する栓体本体部と、
前記注水口の上部を開閉する注水口蓋と、
この注水口蓋を開閉操作する操作部材と、
前記注水口への飲料の通路を開閉するための弁体と、
前記操作部材の開閉操作に連動して前記弁体を開閉させる弁体開閉機構と、を備え、
前記注水口を前記栓体本体部に対して着脱自在に取り付け支持していることを特徴とするものである。
【０００７】
かかる飲料用容器の栓体の作用・効果を説明する。この栓体の注水口は、栓体本体部に取り付け支持されている。また、注水口には注水口蓋が設けられており、操作部材を操作することで、注水口を開閉することができる。この操作部材は弁体と連動しているので、注水口蓋が閉じられている時は、弁体も閉じている。操作部材を操作して注水口蓋を開放すると、弁体も開いた状態になり、飲料を注水口を介して取り出すことができる。ここで、注水口は、栓体本体部に対して着脱自在に取り付け支持されている。従って、洗浄する時は、注水口を外して洗浄することができ、注水口を外した状態の栓体も洗浄することができるので、効果的な洗浄を行うことができる。その結果、注水口や注水口が取り付けられている箇所の周囲を洗浄しやすくした飲料用容器の栓体を提供することができる。
【０００８】
本考案において、前記操作部材は、前記注水口蓋を閉じる閉鎖位置と、前記注水口を開く開放位置の間を第１回転軸周りに回転移動可能であり、前記閉鎖位置及び開放位置において前記操作部材を安定した姿勢に保持するための第１付勢手段が設けられていることが好ましい。
【０００９】
第１付勢手段を設けることで、操作部材を閉鎖位置および開放位置で安定した状態に保持することができる。従って、操作部材で操作される注水口蓋も安定した状態に保持することができる。
【００１０】
本考案において、前記第１付勢手段は、前記弁体を閉じ方向に作用するバネであることが好ましい。かかる構成により、バネの多機能化を図ることができ、部品点数の削減等に寄与することができる。
【００１１】
本考案において、前記注水口蓋を単独で回転操作するための第２回転軸及び前記注水口蓋を閉じ方向へ付勢する第２付勢手段が前記操作部材に対して設けられていることが好ましい。
【００１２】
操作部材を閉鎖位置から開放位置へ操作することで、注水口蓋を開くことができるが、上記構成によれば、開放位置において、さらに注水口蓋のみを開く方向に操作することができる。これにより、注水口を取り外す時の操作を行いやすくすることができる。また、操作部材の操作回転角度を抑制することができるので、設計的にも余裕ができる。
【００１３】
本考案において、前記第２回転軸は、前記第１回転軸よりも上方に位置していることが好ましい。
【００１４】
かかる構成により、注水口蓋の配置構成を容易にし、注水口蓋の動作と操作部材の動作を個別にスムーズに行わせることができる。また、注水口蓋の操作部材に対する動作を確実に保証することができる。
【００１５】
本考案において、前記操作部材を閉じ方向に付勢する第３付勢手段を更に備えていることが好ましい。かかる第３付勢手段を設けることで、操作部材を確実に閉鎖位置に位置させることができ、開放位置から閉鎖位置への復帰動作も確実に行わせることができる。
【００１６】
本考案に係る前記注水口は、上方に行くほど大径のラッパ状に形成され、パッキンを取り付けるための溝部と、前記注水口を前記栓体本体部に取り付けるときの上下方向の位置決めをするための位置決め段差部が一体形成されていることが好ましい。
【００１７】
注水口をラッパ状に形成することで、飲料を抽出しやすくすると共に、ラッパ状の部分を手で持ちやすくすることができるので、洗浄時に取り出しやすくなる。また、パッキンを溝に取り付けることで、飲料を密閉させることができると共に、注水口を栓体本体部に圧入保持させることができる。さらに、位置決め段差部を設けることで、注水口の取り付け時に注水口を押しこむだけで段差部により上下方向の位置決めを行うことができる。
【図面の簡単な説明】
【００１８】
【図１】飲料用容器の内部構成を示す縦断面図
【図２】栓体の構成を示す断面図
【図２Ａ】栓体の構成を示す断面図
【図３】注水口の構成を示す断面図
【図４】栓体の外観構成を示す斜視図
【図５】操作部材を開放位置に操作した時の状態を示す栓体の断面図
【図５Ａ】操作部材を開放位置に操作した時の状態を示す栓体の断面図
【図６】図５から注水口蓋をさらに回転させた状態を示す図
【考案を実施するための形態】
【００１９】
本考案に係る飲料用容器の栓体の好適な実施形態を図面を用いて説明する。図１は、飲料用容器の内部構成を示す縦断面図である。図２、図２Ａは栓体の構成を示す縦断面図である。図２と図２Ａは、異なる位置の断面図である。図３は注水口の構成を示す断面図である。図４は、栓体の外観構成を示す斜視図である。
【００２０】
＜実施形態の構成＞
飲料用容器Ａは、内部に飲料が収容される容器本体１と、容器本体１の上端部に着脱自在に取り付けられる栓体２と、容器本体１及び栓体２の上に着脱自在にかぶせられる蓋体３を備えている。蓋体３は飲料を入れるコップとしても機能する。容器本体１の上端部には、第１ネジ部１０と、この第１ネジ部１０の上側であって、第１ネジ部１０よりも外径が小さな第２ネジ部１１が設けられている。この第１ネジ部１０と第２ネジ部１１は、樹脂により一体形成されており、容器本体１０の円筒部分１２の上部に取り付けられる。円筒部分１２は金属製である。
【００２１】
図２は、栓体２の構成を示す断面図である。栓体２は、栓体本体部２０と、この栓体本体部２０に取り付け支持される注水口２１と、栓体本体部２０の上部に取り付けられる雌ねじ部２２と、を備える。雌ねじ部２２の外観には、手で回しやすいように長円形の突起部２２ａが円周方向に沿って等間隔に形成されている（図４参照）。さらに、栓体２は、注水口２１の上部を開閉する注水口蓋２３と、注水口蓋２３を開閉させるための操作部材２４と、操作部材２４に連動して動く弁体２５と、弁体２５を閉じ方向に付勢するコイルバネ２６（第１付勢手段に相当）と、コイルバネ２６を保持するためのバネ保持キャップ２７と、を備えている。
【００２２】
図３は、注水口２１の構成を示す断面図である。注水口２１は、上部に行くほど大径（末広がり）のラッパ状に形成されている。注水口２１の下部には、円周方向に沿って溝２１ａが形成されており、ゴム製のリング状パッキン２８が挿入される。また、パッキン２８が取り付けられる位置の上には、位置決め段差部２１ｂが一体形成されている。
【００２３】
栓体本体部２には、注水口２１を挿入するための嵌合孔２０ａが形成されており、この嵌合孔２０ａに上方から注水口２１を挿入することができる。このとき、パッキン２８の外径が少し圧縮されながら（圧入しながら）挿入されるので、注水口２１を摩擦力で嵌合孔２０ａに保持することができる。また嵌合孔２０ａには上端面２０ｂが設けられており、注水口２１を上方から挿入していくと、位置決め段差部２１ｂが上端面２０ｂに当接するので、これ以上は下方に挿入できなくなる。これにより、注水口２１を上下方向に安定して位置決めすることができる。
【００２４】
栓体本体部２０の上部には操作部保持部材２００（この操作部保持部材２００も栓体本体部２０に含まれる）が設けられており、注水口蓋２３と操作部材２４が取り付け保持される。
【００２５】
操作部材２４は、回転軸２９により操作部保持部材２００に対して回転可能に支持されている。注水口蓋２３には、ゴム製のパッキン部材３０が設けられており、注水口蓋２３を閉じている時に注水口２１の上部を密閉する。
【００２６】
操作部材２４は、第１回転軸２９周りに回転可能に軸支されている。操作部材２４は上部に凹みが設けられており、指で操作するための操作部２４ａとして機能する。操作部材２４の下部は、球面状に形成された弁作動部２４ｂとして機能する。また、この弁作動部２４ｂと隣接して凹部２４ｃが一体形成されている。操作部材２４を閉じ方向に付勢するコイルバネ３２（第３付勢手段に相当）が設けられている（図２Ａ参照）。コイルバネ３２は、第１回転軸２９に挿入される形で取り付けられており、コイルバネ３２の両端の腕部３２ａの一方は操作部材２４に掛けられており、腕部の他方（不図示）は操作部保持部材２００に掛けられている。
【００２７】
注水口蓋２３は、第２回転軸３３周りに回転可能に支持されている。第２回転軸３３は、操作部材２４に設けられている。また、注水口蓋２３を閉鎖位置（注水口２１を閉じる位置）に付勢するためのコイルバネ３４（第２付勢手段に相当）が設けられている（図２参照）。コイルバネ３４は、第２回転軸３３に挿入される形で取り付けられており、コイルバネ３４の両端の腕部の一方（不図示）は操作部材３４に掛けられており、腕部の他方（不図示）は注水口蓋２３に掛けられている。この構成により、注水口蓋２３を単独で操作部材２４に対して回転操作することができる。
【００２８】
また、図２に示すように、第２回転軸３３の下方で操作部材２４に一体形成された当接部２４ｄと注水口蓋２３に一体形成された当接部２３ａがコイルバネ３４の付勢力により互いに当接するように付勢される。従って、注水口蓋２３は、図２において、それ以上、操作部材２４に対して反時計方向に回転することはできない。時計方向にのみ回転操作させることができる。
【００２９】
また、図２に示すように、第１回転軸２９の上方、かつ、若干注水口寄りに第２回転軸３３が位置している。かかる位置関係により、注水口蓋２３の配置構成を容易にし、注水口蓋２３の動作と操作部材２４の動作を個別にスムーズに行わせることができる。また、注水口蓋２３の操作部材２４に対する動作も確実に保証することができる。
【００３０】
弁体２５は、軸状のガイド部２５ａとこのガイド部２５ａの下部に一体形成された円盤部２５ｂを備えている。栓体本体部２０の下端部には、リング状のパッキン部材３１が取り付けられており、このパッキン部材３１に円盤部２５ｂが当接することで、流路が閉鎖される。弁体２５が下方に移動すると、円盤部２５ｂとパッキン部材３１が離間し流路が開かれる。
【００３１】
栓体本体部２０の中心部にガイド穴２０ｃが形成されており、弁体２５を上下方向にガイドする。弁体２５の上端面２５ｃは球面状に形成されており、操作部材２４の弁作動部２４ｂとコイルバネ２６の付勢力により当接する。また、弁体２５の上部には溝２５ｄが形成されており、バネ保持キャップ２７が一体的に取り付けられている。
【００３２】
バネ保持キャップ２７は下方が開放されたキャップ状に形成され、弁体２５を閉じ方向に付勢するコイルバネ２６が保持される。コイルバネ２６は、バネ保持キャップ２７と栓体本体部２０に一体形成された台座部２０ｄの間に保持される。このコイルバネ２６の付勢力により、バネ保持キャップ２７を常時上方に付勢するので、弁体２５も常時上方に付勢される。すなわち、弁体２５の円盤部２５ｂとパッキン部材３１が当接して流路を閉じる方向に付勢する。以上のように、弁体２５の上端面２５ｃの形状、操作部材２４の弁作動部２４ｂの形状、コイルバネ２６、バネ保持キャップ２７は、弁体開閉機構として機能する。
【００３３】
＜動作＞
次に、図１〜図４に示す飲料用容器の栓体の動作について説明する。まず注水口２１を開いて飲料を取り出す時の動作を説明する。図５、図５Ａは、操作部材を開放位置に操作した時の状態を示す断面図である。図５Ａは図２Ａに対応した断面図である。
【００３４】
図２は、操作部材２４が閉鎖位置に位置しており、弁体２５の上端面２５ｃが、操作部材２４の弁操作部２４ｂを下方から押し上げている。従って、操作部材２４を回転軸２９周りに反時計方向に回転させようとする力が作用する。これにより、注水口蓋２３が注水口２１を閉じる方向に付勢される。また、コイルバネ３２も操作部材２４を直接的に閉鎖方向に付勢しているので、安定した状態で操作部材２４を閉鎖位置に保持することができる。
【００３５】
注水口２１を開くためには、操作部材２４の操作部２４ａを下方に押す。すなわち、図２において、回転軸２９の時計方向に操作部材２４を回転させる。これにより、コイルバネ３２の付勢力に抗して、弁体２５を下方に押し下げる。弁体２５が下がることで、パッキン部材３１の底面側に隙間が形成され流路が開く。
【００３６】
操作部材２４を開放位置から回転させていくと、操作部材２４の凹部２４ｃに弁体２５の上端面２５ｃが嵌り込む。従って、操作部材２４は開放位置において安定した状態で、その姿勢を保持することができる。この状態を保持しながら飲料用容器Ａを傾けると、容器本体１の内部の飲料が注水口２１の先端から抽出させることができる（飲料の流れを矢印で示す）。なお、操作部材２４を回転させると、注水口蓋２３も一体的に同じように回転する。
【００３７】
前述のように、注水口蓋２３は、第２回転軸３３とコイルバネ３４により操作部材２４に支持されているので、注水口蓋２３のみを単独で第２回転軸３３周りに回転させることができる。図５の状態から、さらに、注水口蓋２３のみを回転させた状態を図６に示す。なお、注水口蓋２３は、図５、図５Ａに示す位置からは、反時計方向に回転することはできないが、時計方向にのみ回転することができる。図６のように注水口蓋２３を更に開かせることで、注水口２１を取り出すことができる。
【００３８】
注水口２１はラッパ状に広がった形をしているので、その先端部を指で持って取り出すことができる。注水口２１のみを取り出して十分に洗浄することができる。また、注水口２１が取り除かれた後の栓体２０も洗浄することができる。従って、内部の隅々まで十分に洗浄することができる。
【００３９】
図６の状態から注水口蓋２３を持っている指を離すと、コイルバネ３４の付勢力により図５の状態に復帰する。注水口２１を洗浄した後は、栓体２の中に注水口２１に戻す。注水口２１は、栓体本体部２０の嵌合孔２０ａに挿入し、注水口２１の位置決め段差部２１ｂが栓体本体部２０の上端面２０ｂに当接する位置まで押し込めば、注水口２１の装着が完了する。
【００４０】
図５の状態から注水口蓋２３を閉鎖する時は、注水口蓋２３の上面を指で押さえればよい。これにより、注水口蓋２３の当接部２３ａが操作部材２４の当接部２４ｄを押すことになる。その結果、注水口蓋２３と操作部材２４は一体的に第１回転軸２９周りに反時計方向に回転し、図２の状態に復帰する。弁体２５もコイルバネ２６の付勢力により流路を閉じた状態に復帰する。
【００４１】
図１は、蓋体３を栓体２の上からかぶせた状態を示している。蓋体３をかぶせた状態では、注水口蓋２３と操作部材２４が衝撃等で不用意に開かないように、蓋体３の上部内面でそれらの動きが規制されている。
【００４２】
＜別実施形態＞
栓体本体部２０は、複数の部材により構成されるが、１つの部材により構成されてもよいし、２つ以上の部材を組み合わせて構成してもよい。
【００４３】
注水口の形状は、本考案のようなラッパ状でなくてもよく、筒状に形成されていれば、例えば、断面は角型に形成されていてもよい。注水口は、圧入（摩擦力）により保持しているが、本考案はこれに限定されるものではない。例えば、適宜の係止機構を用いて栓体本体部に係止させてもよい。
【符号の説明】
【００４４】
Ａ        飲料用容器
１        容器本体
２        栓体
３        蓋体
２０      栓体本体部
２０ａ    嵌合孔
２０ｂ    上端面
２１      注水口
２１ｂ    位置決め段差部
２５      弁体
２６      コイルバネ
２７      バネ保持キャップ
２８      パッキン
２９      第１回転軸
３２      コイルバネ
３３      第２回転軸
３４      コイルバネ
【図１】
0003171259.tif 000003
【図２】
0003171259.tif 000004
【図２Ａ】
0003171259.tif 000005
【図３】
0003171259.tif 000006
【図４】
0003171259.tif 000007
【図５】
0003171259.tif 000008
【図５Ａ】
0003171259.tif 000009
【図６】
0003171259.tif 000010